(57)【要約】【課題】暖房用熱源装置において、外気温度が検出不能となる故障発生時の応急運転におけるユーザの快適性を確保する。【解決手段】暖房用熱源装置１００ａにおいて、入力端子２１１，２１２は、暖房用熱源装置１００ａの外部から入力される外気温の検出値Ｖｏｓを受け付ける。制御部１３０は、外気温度を互いに異なる目標温度に対応付ける複数の関係データを有している。制御部１３０は、該複数の関係データの中から選択された関係データを用いて、外気温度の検出値Ｖｏｓに基づいて、加熱機構１０２による加熱後の熱媒体の目標温度を設定する。制御部１３０は、さらに、入力端子２１１，２１２に外気温度の検出値Ｖｏｓが正常に入力されない故障が検知された場合には、熱媒体の目標温度を、選択された関係データにて設定可能な目標温度の設定範囲の高温領域における温度に変更する。【選択図】図１
2019027638.tif 000002
【特許請求の範囲】
【請求項１】
暖房用熱源装置であって、
暖房装置へ供給される熱媒体を加熱する加熱機構と、
前記加熱機構による加熱後の前記熱媒体の目標温度を設定する制御部とを備え、
前記制御部は、外気温度を前記目標温度に対応付ける複数の関係データを有しており、前記複数の関係データの中から選択された関係データを用いて、前記制御部に入力される外気温度の検出値に基づいて前記目標温度を設定するように構成され、
前記制御部は、さらに、前記外気温度の検出値が正常に入力されない故障が検知された場合には、前記目標温度を、前記選択された関係データにて設定可能な前記目標温度の設定範囲の高温領域における温度に変更する、暖房用熱源装置。
【請求項２】
前記故障が検知された場合、前記制御部は、前記目標温度を、前記故障の検知前における前記加熱機構による加熱後の前記熱媒体の温度の実績値以上であり、かつ、前記選択された関係データにおける前記目標温度の設定範囲の上限値以下の温度に変更する、請求項１に記載の暖房用熱源装置。
【請求項３】
前記故障が検知された場合、前記制御部は、前記目標温度を、前記選択された関係データにおける前記目標温度の設定範囲の上限値に変更する、請求項２に記載の暖房用熱源装置。
【請求項４】
変更された前記目標温度に従った暖房運転中に、前記故障の発生を報知するための報知部をさらに備える、請求項１から３のいずれか１項に記載の暖房用熱源装置。
【請求項５】
前記複数の関係データの中から１つの関係データを選択する操作を受け付けるための操作部をさらに備える、請求項１から４のいずれか１項に記載の暖房用熱源装置。
【請求項６】
前記複数の関係データの各々において、前記目標温度は前記外気温度を変数とする一次関数で表される、請求項１から５のいずれか１項に記載の暖房用熱源装置。
【請求項７】
暖房用熱源装置の制御方法であって、
前記暖房用熱源装置は、
暖房装置へ供給される熱媒体を加熱する加熱機構と、
制御部とを含み、
前記暖房用熱源装置は、外気温度を、前記加熱機構による加熱後の前記熱媒体の目標温度に対応付ける複数の関係データを有し、
前記制御方法は、
前記複数の関係データの中から予め選択されている関係データを用いて、前記制御部に入力される前記外気温度の検出値に基づいて、前記目標温度を設定するステップと、
前記制御部に前記外気温度の検出値が正常に入力されない故障を検知するステップと、
前記故障が検知された場合には、前記目標温度を、前記選択された関係データにて設定可能な前記目標温度の設定範囲の高温領域における温度に変更するステップとを備える、暖房用熱源装置の制御方法。
【請求項８】
前記目標温度の設定範囲の高温領域は、前記故障の検知前における前記加熱機構による加熱後の前記熱媒体の温度の実績値以上であり、かつ、前記選択された関係データにおける前記目標温度の設定範囲の上限値以下の温度領域である、請求項７に記載の暖房用熱源装置の制御方法。
【発明の詳細な説明】
【技術分野】
【０００１】
この発明は、暖房用熱源装置およびその制御方法に関し、より特定的には、外気温度が検出不能となる故障の発生時における、暖房用熱源装置の応急運転の制御に関する。
【背景技術】
【０００２】
暖房装置に対して加熱用の熱媒体を供給する暖房用熱源装置の一態様として、外部から入力された外気温度の検出信号に基づいて、熱媒体の目標温度を設定するものが公知である。このような暖房用熱源装置では、外気温度の検出信号が正常に入力されない故障が発生した場合には、外気温度が検出不能となるため、装置の安全性を保証する観点から暖房運転を禁止するものがある。
【０００３】
しかしながら、暖房装置は通常、外気温度の低い寒冷地に設置されるため、故障の発生時に暖房運転を禁止してしまうと、ユーザにとって使い勝手の悪いものとなる。したがって、故障の発生後においても応急的に暖房運転が継続できることが要求される。
【０００４】
故障発生時の応急運転については、たとえば、特開平５−１８７６８３号公報（特許文献１）には、空気調和機の制御装置において、熱交換器の温度を検出するサーミスタの故障が検知された場合に、サーミスタの検出温度を、メモリに格納されている熱交換温度の既定値に置換して、応急運転を開始する構成が記載されている。
【先行技術文献】
【特許文献】
【０００５】
【特許文献１】特開平５−１８７６８３号公報
【発明の概要】
【発明が解決しようとする課題】
【０００６】
しかしながら、上記のような空気調和機の制御装置では、熱交換温度の既定値の大きさによっては、応急運転時における空調能力が、故障が検知される以前の空調能力に比べて低下してしまい、結果的にユーザの快適性が損なわれることが懸念される。
【０００７】
この発明はこのような課題を解決するためになされたものであって、この発明の目的は、外気温度が検出不能となる故障発生時の応急運転において、ユーザの快適性を確保することができる暖房用熱源装置およびその制御方法を提供することである。
【課題を解決するための手段】
【０００８】
この発明のある局面では、暖房用熱源装置は、暖房装置へ供給される熱媒体を加熱する加熱機構と、加熱機構による加熱後の熱媒体の目標温度を設定する制御部とを備える。制御部は、外気温度を目標温度に対応付ける複数の関係データを有している。制御部は、上記複数の関係データの中から選択された関係データを用いて、制御部に入力される外気温度の検出値に基づいて目標温度を設定するように構成される。制御部は、さらに、外気温度の検出値が正常に入力されない故障が検知された場合には、目標温度を、選択された関係データにて設定可能な目標温度の設定範囲の高温領域における温度に変更する。
【０００９】
上記暖房用熱源装置によれば、制御部に外気温度の検出値が正常に入力されない故障が検知された後は、選択された関係データにおける目標温度の設定範囲の高温領域における温度に変更された目標温度に従った応急運転が実行されるため、ユーザの使い勝手を向上させることができる。また、応急運転の実行中、加熱後の熱媒体の出力温度は目標温度の設定範囲の高温領域の温度に保持されるため、暖房機能が低下することを抑制することができる。したがって、応急運転時におけるユーザの快適性を確保することができる。
【００１０】
好ましくは、故障が検知された場合、制御部は、目標温度を、故障の検知前における加熱機構による加熱後の熱媒体の温度の実績値以上であり、かつ、選択された関係データにおける目標温度の設定範囲の上限値以下の温度に変更する。なお、上記故障の検知前における加熱機構による加熱後の熱媒体の温度の実績値には、故障の検知前における加熱後の熱媒体の目標温度の実績値が含まれる。
【００１１】
このようにすると、応急運転の実行中、熱媒体の出力温度は、故障の検知前における出力温度の実績値（または目標温度の実績値）以上に保持されるため、暖房機能が低下することを抑制することができる。また、応急運転時における熱媒体の出力温度は、選択された関係データにおける目標温度の上限値を超えることがないため、実使用の範囲内での運転であって問題とならない。
【００１２】
好ましくは、故障が検知された場合、制御部は、目標温度を、選択された関係データにおける目標温度の設定範囲の上限値に変更する。
【００１３】
このようにすると、応急運転の実行中、選択された関係データにおける目標温度の設定範囲の上限値に保持されるため、暖房機能が低下することを抑制することができる。
【００１４】
好ましくは、上記暖房用熱源装置は、変更された目標温度に従った暖房運転中に、故障の発生を報知するための報知部をさらに備える。このようにすると、故障の発生を報知しながら、応急運転を実行できるため、ユーザの快適性を確保することができる。
【００１５】
好ましくは、上記暖房用熱源装置は、複数の関係データの中から１つの関係データを選択する操作を受け付けるための操作部をさらに備える。このようにすると、暖房装置の使用用途や設置環境に応じて選択された関係データを用いて暖房運転を適切に行なうことができ、かつ、該関係データを用いて故障発生時における応急運転を適切に実行することができる。
【００１６】
好ましくは、複数の関係データの各々において、目標温度は外気温度を変数とする一次関数で表される。このようにすると、故障が発生していない正常運転時において、外気温度の検出値に基づいて、加熱機構による加熱後の熱媒体の目標温度を容易に設定することができる。
【００１７】
この発明の他のある局面では、暖房用熱源装置の制御方法において、暖房用熱源装置は、暖房装置へ供給される熱媒体を加熱する加熱機構、および制御部を含む。暖房用熱源装置は、外気温度を、加熱機構による加熱後の熱媒体の目標温度に対応付ける複数の関係データを有している。制御方法は、上記複数の関係データの中から予め選択されている関係データを用いて、制御部に入力される外気温度の検出値に基づいて目標温度を設定するステップと、制御部に外気温度の検出値が正常に入力されない故障を検知するステップと、故障が検知された場合には、目標温度を、選択された関係データにて設定可能な目標温度の設定範囲の高温領域における温度に変更するステップとを備える。
【００１８】
上記暖房用熱源装置の制御方法によれば、制御部に外気温度の検出値が正常に入力されない故障が検知された後は、選択された関係データにおける出力目標温度の設定範囲の高温領域における温度に変更された出力目標温度に従った応急運転が実行されるため、ユーザの使い勝手を向上させることができる。また、応急運転時におけるユーザの快適性を確保することができる。
【００１９】
好ましくは、目標温度の設定範囲の高温領域は、故障の検知前における加熱機構による加熱後の熱媒体の温度の実績値以上であり、かつ、選択された関係データにおける目標温度の設定範囲の上限値以下の温度領域である。
【発明の効果】
【００２０】
この発明によれば、外気温度が検出不能となる故障発生時の応急運転において、ユーザの快適性を確保することができる暖房用熱源装置およびその制御方法を提供することができる。
【図面の簡単な説明】
【００２１】
【図１】本発明の実施の形態に従う暖房用熱源装置である暖房給湯器の構成例を説明するブロック図である。
【図２】コントローラによる暖房給湯器の動作制御を説明する機能ブロック図が示される。
【図３】電圧変換回路の構成例を説明するための概略的な回路図である。
【図４】電圧変換回路における入出力特性を示すグラフである。
【図５】外気温度に対する熱媒体の出力目標温度θｓｅｔの設定特性を説明するグラフである。
【図６】選択された関係データを用いて熱媒体の出力目標温度θｓｅｔを設定する方法を説明する図である。
【図７】コントローラにおける暖房運転時の制御処理を説明するためのフローチャートである。
【図８】本発明の実施の形態に従う暖房用熱源装置の他の構成例を説明するブロック図である。
【発明を実施するための形態】
【００２２】
以下に、本発明の実施の形態について、図面を参照して詳細に説明する。なお、図中の同一または相当部分には同一符号を付して、その説明は原則的に繰返さないものとする。
【００２３】
図１は、本発明の実施の形態に従う暖房用熱源装置である暖房給湯器の構成例を説明するブロック図である。
【００２４】
図１を参照して、暖房給湯器１００ａは、暖房装置１８０に対して熱媒体（代表的には、高温水）を供給することによる暖房機能を有する。さらに、暖房給湯器１００ａは、入水管１１２に導入された低温水を、暖房機能と共通の熱媒体との熱交換によって加熱することで、出湯管１１５から給湯する給湯機能を有する。
【００２５】
暖房給湯器１００ａは、燃焼バーナ１０２および熱交換器１０４等が収納された燃焼缶体（以下、単に「缶体」とも称する）１０１と、暖房装置１８０と接続される熱媒体の入力端１４１ａおよび出力端１４１ｂと、配管１４３〜１４７と、給湯用熱交換器１５０と、分配弁１６０と、循環ポンプ１７０とを備える。給湯用熱交換器１５０は、一次側経路１５１および二次側経路１５２の間での伝熱機構を有する。
【００２６】
燃焼バーナ１０２は、作動時には、供給された燃料ガスを図示しないバーナで燃焼することによって熱量を発生する。熱交換器１０４は、燃焼バーナ１０２の発生熱量により、通流する熱媒体を加熱する。
【００２７】
暖房装置１８０は、放熱器１８６を含む。暖房装置１８０は、外部配管１８１および１８２によって、入力端１４１ａおよび出力端１４１ｂの間に接続される。暖房装置１８０は、図示しない制御部をさらに備える。制御部は、暖房給湯器１００ａのコントローラ１３０に対して、２値信号である暖房運転信号Ｓｓｔを出力する。例えば、ユーザ操作に応じて暖房装置１８０の運転を開始する際に、暖房運転信号Ｓｓｔは「０」から「１」に変化する。一方で、運転中の暖房装置１８０がユーザ操作に応じて停止する際には、暖房運転信号Ｓｓｔは「１」から「０」に変化する。
【００２８】
配管１４３は、入力端１４１ａおよび熱交換器１０４の入力側を接続する。配管１４４は、熱交換器１０４の出力側および分配弁１６０の第１ノード１６０ａを接続する。配管１４５は、分配弁１６０の第２ノード１６０ｂおよび出力端１４１ｂを接続する。
【００２９】
配管１４６は、分配弁１６０の第３ノード１６０ｃおよび給湯用熱交換器１５０の一次側経路１５１の入力側を接続する。配管１４７は、給湯用熱交換器１５０の一次側経路１５１の出力側を配管１４３と接続する。
【００３０】
分配弁１６０の開度によって、第１ノード１６０ａおよび第２ノード１６０ｂの経路の流量と、第１ノード１６０ａおよび第３ノード１６０ｃの経路の流量との比率が制御される。循環ポンプ１７０は、配管１４３において、配管１４７との合流点よりも下流側（熱交換器１０４側）に配設される。
【００３１】
配管１４３には、熱媒体の入力温度Ｔｉを検出するための温度センサ１２６が配置される。熱交換器１０４の出力側に配置された温度センサ１２７は、熱交換器１０４による加熱後の熱媒体の温度（以下、出力温度とも称する）Ｔｈｍを検出する。
【００３２】
給湯側において、入水管１１２は、給湯用熱交換器１５０の二次側経路１５２の入力側と接続される。入水管１１２には、図示しない給水栓の開栓に応じて、水道水圧等を供給圧として低温水が導入される。
【００３３】
出湯管１１５は、給湯用熱交換器１５０の二次側経路１５２の出力側と接続される。入水管１１２からは、バイパス流量弁１２０が配置されたバイパス管１１６が分岐される。したがって、入水管１１２に供給された低温水は、バイパス流量弁１２０の開度に従った分配比でバイパス管１１６へ分配される。バイパス流量弁１２０の開度は、コントローラ１３０によって制御される。
【００３４】
出湯管１１５には、バイパス管１１６との合流点１１７が設けられる。そして、給湯用熱交換器１５０で加熱された高温水と、バイパス管１１６を通過した低温水とが混合されて、暖房給湯器１００ａから図示しない給湯栓等へ供給される。すなわち、バイパス流量弁１２０の開度によって、高温水および低温水の混合比率を制御することができる。
【００３５】
温度センサ１２１は、入水管１１２の低温水温度Ｔｗを検出する。温度センサ１２３は、出湯管１１５の出湯温度Ｔｏを検出する。温度センサ１２２は、二次側経路１５２の出力側に配置されて、給湯用熱交換器１５０による加熱後の高温水温度Ｔｈを検出する。流量センサ１２５は、入水管１１２に導入される流量Ｑ１を検出する。
【００３６】
コントローラ１３０には、温度センサ１２１〜１２３，１２６，１２７によって検出された、低温水温度Ｔｗ、高温水温度Ｔｈ、出湯温度Ｔｏ、ならびに、熱媒体の入力温度Ｔｉおよび出力温度Ｔｈｍが入力される。さらに、コントローラ１３０には、流量センサ１２５による検出流量Ｑ１および暖房装置１８０からの暖房運転信号Ｓｓｔが入力される。
【００３７】
コントローラ１３０は、バイパス流量弁１２０の開度、ならびに、燃焼バーナ１０２の作動／停止および発生熱量に加えて、循環ポンプ１７０の作動／停止、および、分配弁１６０の開度をさらに制御する。
【００３８】
図２には、コントローラ１３０による暖房給湯器１００ａの動作制御を説明する機能ブロック図が示される。
【００３９】
図２を参照して、コントローラ１３０は、マイクロコンピュータ（以下、単に「マイコン」とも称する）１３１と、アナログ／デジタル（Ａ／Ｄ）変換器１３２と、メモリ１３３とを有する。マイコン１３１は、メモリ１３３に予め格納されたプログラムを実行することによって、暖房給湯器１００ａがユーザからの運転指令に従って動作するように、各構成機器の動作を制御する。
【００４０】
コントローラ１３０は、暖房給湯器１００ａのリモートコントローラ（以下、単に「リモコン」とも称する）３００と、通信線（たとえば、２芯通信線）によって接続される。リモコン３００およびコントローラ１３０の間は相互に信号を伝送可能である。
【００４１】
リモコン３００には、ユーザから暖房給湯器１００ａの運転指令が入力される。例えば、運転指令は、暖房給湯器１００ａの運転オン状態および運転オフ状態を切換えるための運転オンオフ指令、給湯運転における給湯設定温度が含まれる。リモコン３００に入力された運転オンオフ指令および給湯設定温度は、リモコン３００からコントローラ１３０へ伝送される。
【００４２】
リモコン３００は、表示部３１０、操作部３２０、および発光体３３０を有する。表示部３１０は、ユーザに対して視覚的な情報を表示するために、たとえば、液晶ドットマトリクスを用いて構成することができる。リモコン３００は、コントローラ１３０で収集されたデータ（湯温等）に基づく情報を、表示部３１０を用いて表示することができる。
【００４３】
操作部３２０は、ユーザが運転指令を入力するための操作スイッチとして、プッシュスイッチやタッチスイッチを用いて構成することができる。なお、タッチパネルを用いることによって、表示部３１０および操作部３２０を一体的に形成することも可能である。
【００４４】
発光体３３０は、少なくとも１つのＬＥＤ（Light  Emitting  Diode）によって構成することができる。この少なくとも１つのＬＥＤを点灯／消灯／点滅させることにより、発光体３３０は複数の点灯パターンを実現することができる。発光体３３０は、後述する入力端子２１１，２１２と所定の配線２５０との接続状態を示す情報を視覚的に表示することができる。
【００４５】
次に、暖房給湯器１００ａの動作を説明する。
循環ポンプ１７０を作動するとともに、分配弁１６０が第１ノード１６０ａおよび第２ノード１６０ｂの間に熱媒体の経路を形成することによって、暖房装置１８０との間で熱媒体を循環するための暖房循環経路を形成することができる。暖房給湯器１００ａの内部では、暖房循環経路は、入力端１４１ａおよび出力端１４１ｂの間において、配管１４３、熱交換器１０４、配管１４４、分配弁１６０の第１ノード１６０ａおよび第２ノード１６０ｂ、ならびに、配管１４５を含むように形成される。
【００４６】
一方で、分配弁１６０が第１ノード１６０ａおよび第３ノード１６０ｃの間に熱媒体の経路を形成することにより、配管１４６および１４７によって、暖房装置１８０をバイパスした熱媒体が給湯用熱交換器１５０の一次側経路１５１を通流するバイパス経路を形成することができる。これにより、循環ポンプ１７０を作動させることによって、バイパス経路に熱交換器１０４で加熱された熱媒体を通流することができる。また、分配弁１６０の開度に応じて、暖房循環経路の流量に対するバイパス経路への分流比率を制御することができる。
【００４７】
コントローラ１３０は、暖房給湯器１００ａの運転オン状態において、暖房運転信号Ｓｓｔが「１」に設定されると、循環ポンプ１７０および燃焼バーナ１０２を作動させて、熱媒体を加熱するとともに、上述の暖房循環経路を形成する。燃焼バーナ１０２の発生熱量は、熱媒体の出力温度Ｔｈｍが、設定された暖房能力に対応する出力目標温度と一致するように制御される。
【００４８】
暖房運転中に、給湯栓（図示せず）が閉栓されており流量センサ１２５の検出流量Ｑ１が所定の最低流量よりも少ない場合には、暖房運転のみが実行されるので、分配弁１６０は、熱媒体の全量が暖房循環経路を通流するように制御される。
【００４９】
一方で、暖房運転中に、給湯栓（図示せず）が開栓されて流量センサ１２５の検出流量Ｑ１が最低流量を超えると、暖房および給湯の同時運転が実行される。同時運転では、循環ポンプ１７０および燃焼バーナ１０２が作動した状態で、分配弁１６０は、加熱後の熱媒体の一部がバイパス経路を通流するように制御される。これにより、給湯用熱交換器１５０では、入水管１１２から二次側経路１５２に導入された低温水が、一次側経路１５１を通流する熱媒体によって加熱される。この結果、出湯管１１５からは、給湯用熱交換器１５０による加熱後の高温水と、バイパス管１１６を通過した低温水とを混合して給湯することができる。バイパス流量弁１２０の開度調整によって、出湯温度Ｔｏは給湯設定温度に制御される。
【００５０】
暖房給湯器１００ａの運転オン状態において、暖房運転信号Ｓｓｔが「０」である下で、給湯栓（図示せず）が開栓されて流量センサ１２５の検出流量Ｑ１が最低流量を超えると、給湯運転のみが実行される。給湯運転においても、循環ポンプ１７０および燃焼バーナ１０２が作動される。さらに、分配弁１６０は、熱交換器１０４で加熱された熱媒体の全量がバイパス経路を通流するように、制御される。給湯運転における熱媒体の出力目標温度は、暖房運転および同時運転とは異なる値に設定されることが好ましい。給湯運転においても、出湯温度Ｔｏは、バイパス流量弁１２０の開度調整によって給湯設定温度に制御される。
【００５１】
これに対して、暖房給湯器１００ａでは、運転オフ状態では、暖房運転信号Ｓｓｔが「１」であっても、または、流量センサ１２５の検出流量Ｑ１が最低流量を超えたことが検知されても、燃焼バーナ１０２は停止状態に維持される。すなわち、熱媒体は加熱されないので、暖房運転、給湯運転、および同時運転のいずれも開始されない。なお、暖房給湯器１００ａが複数個の暖房装置１８０に対して熱媒体を供給する構成では、複数の暖房装置１８０のうちの少なくとも１台の運転中には暖房運転信号Ｓｓｔを「１」とし、全ての暖房装置１８０が停止しているときに暖房運転信号Ｓｓｔを「０」として、上述した暖房運転の実行および停止を制御することができる。
【００５２】
本実施の形態に従う暖房給湯器１００ａに対して、暖房運転における暖房能力要求は、入力端子２１１および２１２に対する、外気温検出信号を伝送する所定の配線２５０によって入力される。所定の配線２５０には、外気温センサ４００が接続されている。外気温センサ４００は、暖房装置１８０が設置された空間（部屋など）の外気温度θｏｕｔを検出するためのセンサである。なお、図１には、外気温センサ４００が暖房給湯器１００ａの外部に設置される構成が例示されているが、外気温センサ４００は暖房給湯器１００ａに内蔵されていてもよい。
【００５３】
外気温センサ４００は、検出した外気温度θｏｕｔを示す信号（外気温検出信号）を暖房能力要求として、暖房給湯器１００ａに出力する。外気温検出信号は、たとえば、予め定められた範囲内の電圧値を有する電圧信号である。
【００５４】
以下では、外気温検出信号の電圧値を検出電圧Ｖｏｓと表記する。本実施の形態では、検出電圧Ｖｏｓは単一の極性（ここでは、正電圧）を有するものとする。さらに、検出した外気温度θｏｕｔが低いほど、検出電圧Ｖｏｓが高くなるものとする。
【００５５】
配線２５０が入力端子２１１，２１２と接続されることによって、入力端子２１１および２１２の間に検出電圧Ｖｏｓが入力される。電圧変換回路２００は、検出電圧Ｖｏｓを、コントローラ１３０に入力される検出電圧Ｖｏｓ♯に変換する。コントローラ１３０は、検出電圧Ｖｏｓ♯に基づいて、外気温度θｏｕｔを検知して、熱媒体の出力目標温度θｓｅｔを設定する。そして、温度センサ１２７によって検出される熱媒体の出力温度Ｔｈｍが、出力目標温度θｓｅｔと一致するように、燃焼バーナ１０２の発生熱量が制御される。
【００５６】
なお、図１の構成例において、燃焼バーナ１０２は「加熱機構」の一実施例に対応し、マイコン１３１は「制御部」の一実施例に対応する。なお、本実施の形態では、Ａ／Ｄ変換器１３２とマイコン１３１とを別体に構成したが、Ａ／Ｄ変換器１３２はマイコン１３１に内蔵されていてもよい。その場合、マイコン１３１における、図示しないＣＰＵ（中央演算処理装置）が「制御部」の一実施例に対応する。
【００５７】
また、熱媒体の出力目標温度θｓｅｔは「加熱機構による加熱後の熱媒体の目標温度」の一実施例に対応する。なお、熱媒体の目標温度は、温度値そのものではなく、温度レベルとして段階的に設定されてもよい。本実施の形態では、熱媒体の目標温度が高く設定されると、熱媒体の出力温度θｏｕｔは上昇されるものとする。
【００５８】
図３には、電圧変換回路２００の構成例を説明するための概略的な回路図が示される。
図３を参照して、電圧変換回路２００は、キャパシタＣａ，Ｃｂと、バリスタ（電圧非直線抵抗体）Ｖａと、抵抗素子Ｒａ，Ｒｂとを含む。なお、以下では、各抵抗素子について、電気抵抗値についても同一符号で表記するものとする。
【００５９】
ノードＮ１およびＮ２は、入力端子２１１および２１２とそれぞれ接続される。キャパシタＣａは、ノードＮ１およびＮ２の間に接続されている。ノードＮ２は、接地電圧ＧＮＤ（０Ｖ）を供給する接地ノードに接続される。
【００６０】
バリスタＶａは、ノードＮ１と基準電圧Ｖｒｅｆを供給する基準ノードとの間に接続されている。バリスタＶａは、入力端子２１１，２１２間に電源電圧Ｖｃｃを超える高電圧が入力された場合にコントローラ１３０を保護するために設けられている。キャパシタＣｂは、ノードＮ１および接地ノードの間に接続されている。キャパシタＣａ，Ｃｂは、ノードＮ１の電圧（すなわち、検出電圧Ｖｏｓ）からノイズを除去する。
【００６１】
ノードＮ１は、抵抗素子Ｒａを介して電源電圧Ｖｃｃを供給する電源ノードと接続される。ノードＮ１は、さらに、抵抗素子Ｒｂを介して、検出電圧Ｖｏｓ♯が出力される出力ノードＮｏと接続される。外気温センサ４００は、たとえばサーミスタであり、その抵抗値Ｒｏｓが外気温度に応じて変化する。検出電圧Ｖｏｓ♯は、次式（１）で示される。なお、抵抗素子Ｒｂにおける電圧降下は無視することができる。
【００６２】
【数１】
2019027638.tif 000003
【００６３】
出力ノードＮｏがコントローラ１３０のポート１３４と接続されることにより、検出電圧Ｖｏｓ♯はコントローラ１３０へ入力される。なお、ノードＮ１にノイズ上の高電圧（＞Ｖｃｃ）が入力されると、バリスタＶａの電気抵抗値が急激に低下して高電圧を吸収することにより、出力ノードＮｏの電圧は電源電圧Ｖｃｃ以上には上昇しない。これにより、コントローラ１３０を過電圧入力から保護できる。
【００６４】
コントローラ１３０へ入力された検出電圧Ｖｏｓ♯は、Ａ／Ｄ変換器１３２にてデジタル値に変換される。マイコン１３１は、Ａ／Ｄ変換器１３２からのデジタル値に基づいて外気温度θｏｕｔを検知し、検知された外気温度θｏｕｔに基づいて熱媒体の出力目標温度θｓｅｔを設定する制御処理を実行する。そして、マイコン１３１は、温度センサ１２７によって検出される熱媒体の出力温度Ｔｈｍが、出力目標温度θｓｅｔと一致するように、燃焼バーナ１０２の発生熱量を制御する。
【００６５】
図４には、電圧変換回路２００における入出力特性、すなわち、外気温検出信号に対する検出電圧Ｖｏｓ♯の対応関係が示される。図４の横軸には、外気温センサ４００によって検出される外気温度θｏｕｔが示され、縦軸には検出電圧Ｖｏｓ♯（デジタル値）が示される。
【００６６】
外気温センサ４００は、外気温度θｏｕｔについて検出範囲を有している。図４において、θＬｌｉｍは外気温センサ４００の検出範囲の下限温度を示し、θＨｌｉｍは該検出範囲の上限温度を示す。外気温センサ４００は、外気温度θｏｕｔが低くなるにつれて、外気温検出信号の電圧値（すなわち、検出電圧Ｖｏｓ）が大きくなるように構成されている。したがって、電圧変換回路２００の出力ノードＮｏの電圧（すなわち、検出電圧Ｖｏｓ♯）は、θｏｕｔ＝θＬｌｉｍのときに最大電圧Ｖｍａｘとなり、外気温度θｏｕｔが下限温度θＬｌｉｍから高くなるに従って徐々に低下する。そして、θｏｕｔ＝θＨｌｉｍのとき、検出電圧Ｖｏｓ♯は最小電圧Ｖｍｉｎとなる。なお、最大電圧Ｖｍａｘは電源電圧Ｖｃｃよりも低く、最小電圧Ｖｍｉｎは０Ｖ（ＧＮＤ）よりも高い。
【００６７】
ここで、暖房給湯器１００ａにおいては、マイコン１３１に検出電圧Ｖｏｓ♯が正常に入力されない故障が発生する場合がある。該故障が発生すると、マイコン１３１は外気温度θが検知不能となる。
【００６８】
具体的には、マイコン１３１と外気温センサ４００との電気的な接続が遮断する故障（以下、「オープン故障」とも称する）が発生する場合がある。オープン故障は、たとえば、入力端子２１１，２１２に配線２５０が接続されていない場合や、入力端子２１１，２１２に接続される配線２５０が断線している場合に発生し得る。あるいは、入力端子２１１，２１２からマイコン１３１までの電気的配線（電圧変換回路２００、Ａ／Ｄ変換器１３２を含む）が遮断される場合に発生し得る。
【００６９】
暖房給湯器１００ａでは、また、マイコン１３１と外気温センサ４００との電気的な接続が短絡する故障（以下、「ショート故障」とも称する）が発生する場合がある。ショート故障は、たとえば、入力端子２１１，２１２間が短絡している場合、または、入力端子２１１，２１２に接続される配線２５０間が短絡している場合（外気温センサ４００の端子間の短絡を含む）に発生し得る。あるいは、入力端子２１１，２１２からマイコン１３１までの電気的配線が接地電圧ＧＮＤに短絡する場合に発生し得る。
【００７０】
さらに、マイコン１３１に検出電圧Ｖｏｓ♯が正常に入力されない故障には、Ａ／Ｄ変換器１３２の故障を含むことができる。
【００７１】
暖房給湯器１００ａにてオープン故障が発生した場合、図３に示した電圧変換回路２００では、入力端子２１１，２１２間に入力電圧が発生しないため、ノードＮ１の電圧は電源電圧Ｖｃｃにプルアップされる。よって、検出電圧Ｖｏｓ♯は電源電圧Ｖｃｃにほぼ等しくなる。一方、暖房給湯器１００ａにてショート故障が発生した場合、電圧変換回路２００では、ノードＮ１の電圧が接地電圧ＧＮＤにプルダウンされるため、検出電圧Ｖｏｓ♯は０Ｖ（ＧＮＤ）となる。Ａ／Ｄ変換器１３２の故障が発生した場合においても、その故障内容によって、検出電圧Ｖｏｓ♯が電源電圧Ｖｃｃもしくは接地電圧ＧＮＤとなり得る。
【００７２】
したがって、コントローラ１３０において、マイコン１３１は、電圧変換回路２００から入力される検出電圧Ｖｏｓ♯に基づいて、暖房給湯器１００ａにオープン故障またはショート故障が発生しているか否かを判定することができる。具体的には、図４を参照して、検出電圧Ｖｏｓ♯には、外気温度θｏｕｔの検出範囲（θＬｌｉｍ≦θｏｕｔ≦θＨｌｉｍ）に応じた電圧範囲（Ｖｍａｘ≧Ｖｏｓ♯≧Ｖｍｉｎ）に加えて、入力端子２１１，２１２と配線２５０との電気的な接続が正常であることを示す電圧範囲（ＶＵｌｉｍ≧Ｖｏｓ♯≧ＶＬｌｉｍ）が設定されている。該電圧範囲の上限電圧ＶＵｌｉｍは、最大電圧Ｖｍａｘよりも高く電源電圧Ｖｃｃよりも低く、下限電圧ＶＬｌｉｍは、最小電圧Ｖｍｉｎよりも低く接地電圧ＧＮＤ（０Ｖ）よりも高い。
【００７３】
マイコン１３１は、検出電圧Ｖｏｓ♯が上記電圧範囲（ＶＵｌｉｍ≧Ｖｏｓ♯≧ＶＬｌｉｍ）を逸脱したときに、故障を検知する。具体的には、検出電圧Ｖｏｓ♯が上限電圧ＶＵｌｉｍよりも高く電源電圧Ｖｃｃ以下であるとき、マイコン１３１は、オープン故障を検知する。また、検出電圧Ｖｏｓ♯が下限電圧ＶＬｌｉｍよりも低く接地電圧ＧＮＤ以上であるとき、マイコン１３１は、ショート故障を検知する。なお、図４には、オープン故障が検知される電圧範囲（ＶＵｌｉｍ＜Ｖｏｓ♯≦Ｖｃｃ）と、ショート故障が検知される電圧範囲（ＶＬｌｉｍ＞Ｖｏｓ♯≧０）とが示されている。
【００７４】
一方で、検出電圧Ｖｏｓ♯がＶｍｉｎ≦Ｖｏｓ♯≦Ｖｍａｘの電圧範囲内である場合には、マイコン１３１は、検出電圧Ｖｏｓ♯に対応する外気温度θｏｕｔに基づいて、熱媒体の出力目標温度θｓｅｔを設定する。具体的には、マイコン１３１は、図３に示した電圧変換回路２００における入出力特性（外気温度θｏｕｔに対する検出電圧Ｖｏｓ♯の対応関係）を参照することにより、Ａ／Ｄ変換器１３２から入力されるデジタル値に基づいて外気温度θｏｕｔを検知する。そして、マイコン１３１は、図５に示されるように、外気温度θｏｕｔに基づいて、熱媒体の出力目標温度θｓｅｔを設定する。
【００７５】
図５は、外気温度θｏｕｔに対する熱媒体の出力目標温度θｓｅｔの設定特性を説明するグラフである。図５の横軸には外気温度θｏｕｔが示され、縦軸には熱媒体の出力目標温度θｓｅｔが示される。
【００７６】
外気温度θｏｕｔを出力目標温度θｓｅｔに対応付ける関係データにおいて、出力目標温度θｓｅｔは、外気温度θｏｕｔを変数とする一次関数で表わされる。具体的には、図５のグラフにおいて、関係データは、低温側の基準点Ｐ０（θＬ，θｍａｘ）と高温側の基準点Ｐ１（θＨ，θｍｉｎ）とを結ぶ直線で定義されている。
【００７７】
外気温度θｏｕｔが予め定められた温度範囲（θＬ≦θｏｕｔ≦θＨ）では、外気温度θｏｕｔに応じて出力目標温度θｓｅｔが設定される。具体的には、θｏｕｔ＝θＬ（最低温度）のときに、出力目標温度θｓｅｔは上限温度θｍａｘに設定される。一方、θｏｕｔ＝θＨ（最高温度）のときに、出力目標温度θｓｅｔは下限温度θｍｉｎに設定される。θＬ＜θｏｕｔ＜θＨの範囲では、外気温度θｏｕｔの一次関数（直線）に従って出力目標温度θｓｅｔが設定される。
【００７８】
コントローラ１３０は、上述した関係データを複数有している。図５には、コントローラ１３０が、５本の直線Ｌ１〜Ｌ５でそれぞれ定義される５つの関係データを有する場合が例示されている。これら５つの関係データは、外気温度θｏｕｔを互いに異なる出力目標温度θｓｅｔに対応付けるように構成されている。具体的には、図５のグラフにおいて、５本の直線Ｌ１〜Ｌ５は、基準点Ｐ０および基準点Ｐ１の少なくとも一方において出力目標温度θｓｅｔが互いに異なっている。したがって、たとえば、直線Ｌ１で示される関係データでは、θｏｕｔ＝θＬ（基準点Ｐ０）のときに、出力目標温度θｓｅｔ＝θｍａｘ１に設定されるのに対して、直線Ｌ２で示される関係データでは、θｏｕｔ＝θＬのときに、出力目標温度θｓｅｔ＝θｍａｘ２（θｍａｘ２＜θｍａｘ１）に設定される。また、直線Ｌ１で示される関係データでは、θｏｕｔ＝θＨ（基準点Ｐ１）のときに、出力目標温度θｓｅｔ＝θｍｉｎ１に設定されるのに対して、直線Ｌ２で示される関係データでは、θｏｕｔ＝θＨのときに、出力目標温度θｓｅｔ＝θｍｉｎ２（θｍｉｎ２＜θｍｉｎ１）に設定される。
【００７９】
本実施の形態では、暖房装置１８０の使用用途や暖房装置１８０および暖房給湯器１００ａの設置環境などに応じて、複数の関係データの中から１つの関係データを選択することができる。たとえば、暖房給湯器１００ａの入力端子２１１，２１２に所定の配線２５０を接続する工事が実施された際に、施工者によって、最適な関係データを選択する操作を行なうことができる。
【００８０】
具体的には、入力端子２１１，２１２に所定の配線２５０を介して外気温センサ４００が電気的に接続されると、施工者によって、入力端子２１１，２１２を使用状態に設定するための操作が行なわれる。この操作とともに、複数の関係データの中から１つの関係データを選択する操作が行なわれる。これらの操作は、たとえば、リモコン３００に設けられた操作部３２０を用いて行なうことができる。
【００８１】
たとえば、施工者は、取付け作業を終えると、リモコン３００の操作部３２０を用いて、外気温センサ４００を特定するための情報と、選択された関係データを特定するための情報とを入力することができる。入力された情報は、リモコン３００からコントローラ１３０に送信され、コントローラ１３０内部のメモリ１３３に格納される。
【００８２】
暖房給湯器１００ａの運転オン状態において、暖房運転信号Ｓｓｔが「１」に設定されると、マイコン１３１は、メモリ１３３に保持されている情報（選択された関係データ）と、電圧変換回路２００から入力される検出電圧Ｖｏｓ♯に対応する外気温度θｏｕｔとに基づいて、熱媒体の出力目標温度θｓｅｔを設定する。
【００８３】
図６は、選択された関係データを用いて熱媒体の出力目標温度θｓｅｔを設定する方法を説明する図である。
【００８４】
図６のグラフにおいて、選択された関係データは、基準点Ｐ０（θＬ，θｍａｘ）と基準点Ｐ１（θＨ，θｍｉｎ）とを結ぶ直線Ｌで定義されている。この直線Ｌ上の点（θｏｕｔ，θｓｅｔ）において、出力目標温度θｓｅｔは次式（２）により求めることができる。
【００８５】
【数２】
2019027638.tif 000004
【００８６】
マイコン１３１は、循環ポンプ１７０および燃焼バーナ１０２を作動させて、熱媒体を加熱するとともに、上述の暖房循環経路を形成する。そして、マイコン１３１は、温度センサ１２７によって検出される熱媒体の出力温度Ｔｈｍが、出力目標温度θｓｅｔと一致するように、燃焼バーナ１０２の発生熱量を制御する。
【００８７】
暖房運転中、マイコン１３１は、検出電圧Ｖｏｓ♯に基づいて、暖房給湯器１００ａにオープン故障またはショート故障が発生しているか否かを判定する。図４で説明したように、検出電圧Ｖｏｓ♯がＶＵｌｉｍ＜Ｖｏｓ♯≦Ｖｃｃであるとき、マイコン１３１はオープン故障を検知する。また、検出電圧Ｖｏｓ♯がＶＬｌｉｍ＞Ｖｏｓ♯≧０であるとき、マイコン１３１はショート故障を検知する。
【００８８】
オープン故障またはショート故障が検知されると、マイコン１３１は、リモコン３００を用いて該故障を報知する。たとえば、リモコン３００の発光体３３０を点滅させるとともに、表示部３１０に故障を示す情報を視覚的に表示することができる。また、このような視覚的な報知に代えて、もしくは視覚的な報知とともに、アラームを鳴らすなど、故障を示す情報を聴覚的に報知することも可能である。
【００８９】
上述した故障の報知を行なうとともに、マイコン１３１は、熱媒体の出力目標温度θｓｅｔを、選択された関係データにおける出力目標温度θｓｅｔの設定範囲の高温領域における温度に変更する。本願明細書において、「選択された関係データにおける出力目標温度θｓｅｔの設定範囲の高温領域」とは、故障の検知前における熱媒体の出力温度Ｔｈｍの実績値以上、かつ、出力目標温度θｓｅｔの設定範囲の上限値（すなわち、上限温度θｍａｘ）以下となる温度領域を意味する。なお、「故障の検知前における熱媒体の出力温度Ｔｈｍの実績値」とは、故障の検知前に温度センサ１２７によって検出された熱媒体の出力温度Ｔｈｍの実績値、あるいは出力目標温度θｓｅｔの実績値であり、たとえば、故障が検知された時点以前の所定時間内における温度センサ１２７の検出温度（あるいは出力目標温度θｓｅｔ）の最低値とすることができる。あるいは、該所定時間内における温度センサ１２７の検出温度（あるいは出力目標温度θｓｅｔ）の平均値、最頻値、または中央値とすることができる。
【００９０】
本実施の形態では、マイコン１３１は、熱媒体の出力目標温度θｓｅｔを、選択された関係データにおける出力目標温度θｓｅｔの設定範囲の上限値（上限温度θｍａｘ）に変更するものとする。したがって、故障が検知された後の応急運転では、熱媒体の出力温度Ｔｈｍが上限温度θｍａｘと一致するように、燃焼バーナ１０２の発生熱量が制御されることとなる。
【００９１】
このように、故障が検知された場合に、熱媒体の出力目標温度θｓｅｔを、選択された関係データにおける出力目標温度θｓｅｔの設定範囲の高温領域における温度（たとえば、上限温度θｍａｘ）に変更することで、応急運転時においても、暖房運転のための十分な熱量を熱媒体に供給できるため、ユーザの快適性を確保することができる。
【００９２】
詳細には、たとえば外気温度が低い寒冷地などでは、故障が検知された後に暖房運転ができなくなることは、ユーザにとって使い勝手が悪いものとなる。特に、故障の検知後早急に修理できるサービス体制が整っていないような環境下では、数日間に亘って暖房運転ができないという不具合が生じることがある。したがって、故障の検知後においても応急的に暖房運転が継続できることが要求される。
【００９３】
上述したように、本実施の形態では、故障の検知後は、変更された出力目標温度θｓｅｔに従って熱媒体が加熱されて暖房運転が継続されるため、ユーザの使い勝手を向上させることができる。
【００９４】
また、このような応急運転において、熱媒体の出力目標温度θｓｅｔは、選択された関係データにおける出力目標温度θｓｅｔの設定範囲の高温領域における温度に設定されるため、熱媒体の出力温度Ｔｈｍは、故障の検知前における出力温度Ｔｈｍの実績値以上に保持されることとなる。これにより、応急運転の開始後に熱媒体の出力温度Ｔｈｍが低下して、暖房機能が低下するという事態を回避することができる。
【００９５】
なお、一方で、応急運転時における熱媒体の出力温度Ｔｈｍが、故障の検知前の出力温度Ｔｈｍよりも高くなる場合が当然に起こり得る。ただし、このような場合においても、熱媒体の出力温度Ｔｈｍは、選択された関係データにおける出力目標温度θｓｅｔの設定範囲の高温領域に収まっている。換言すれば、熱媒体の出力温度Ｔｈｍは、選択された関係データにおける出力目標温度θｓｅｔの上限温度θｍａｘを超えることがないため、実使用の範囲内であって問題とならない。なぜなら、応急運転時の熱媒体の出力温度Ｔｈｍは、故障が発生していない正常運転時での外気温度θｏｕｔが低いときの熱媒体の出力温度Ｔｈｍと同等であるに過ぎないからである。
【００９６】
また、暖房装置には、通常、室内温度を暖房設定温度付近に保つためのサーモスタットが設けられており、暖房設定温度と室内温度との温度差に応じて、暖房運転の実行および停止を自動的に切り替え可能に構成されている。本実施の形態では、サーモスタットは、暖房装置１８０に設けられ、暖房設定温度と室内温度との温度差に応じて、暖房給湯器１００ａのコントローラ１３０に対して暖房運転信号Ｓｓｔを出力することができる。したがって、応急運転中に室内温度が暖房設定温度よりも高くなった場合には、サーモスタットが暖房運転信号Ｓｓｔを「１」から「０」に変化させることで、暖房運転が停止されることとなる。よって、応急運転時においてユーザの快適性が低下することを抑制することができる。
【００９７】
図７は、コントローラ１３０における暖房運転時の制御処理を説明するためのフローチャートである。図７に示された制御処理は、たとえば、コントローラ１３０のマイコン１３１によって繰り返し実行することができる。
【００９８】
図３で説明したように、入力端子２１１，２１２間に入力された外気温検出信号（検出電圧Ｖｏ）は、電圧変換回路２００によって検出電圧Ｖｏｓ♯に変換される。図７を参照して、コントローラ１３０は、ステップＳ１１により、電圧変換回路２００から入力される検出電圧Ｖｏｓ♯を取得する。なお、マイコン１３１は、Ａ／Ｄ変換器１３２にてデジタル値に変換された検出電圧Ｖｏｓ♯を取得する。
【００９９】
マイコン１３１は、ステップＳ１２により、取得した検出電圧Ｖｏｓ♯に基づいて、暖房給湯器１００ａに故障（オープン故障またはショート故障）が発生しているか否かを判定する。検出電圧Ｖｏｓ♯が、外気温度θｏｕｔの検出範囲に応じて予め定められた電圧範囲（図４のＶＵｌｉｍ≧Ｖｏｓ♯≧ＶＬｌｉｍ）を逸脱したときに、故障を検知する。
【０１００】
ステップＳ１２の故障判定において故障が検知されない場合（Ｓ１３のＮＯ判定時）、マイコン１３１は、ステップＳ１８に処理を進めて、検出電圧Ｖｏｓ♯に基づいて外気温度θｏｕｔを検知する。
【０１０１】
さらに、マイコン１３１は、ステップＳ１９により、メモリ１３３に保持されている、選択された関係データを特定するための情報を参照する。該情報は、図５で説明したように、コントローラ１３０が有する複数の関係データの中から、施工者等によって予め選択された１つの関係データを特定するものである。該関係データにおいて、出力目標温度θｓｅｔは、外気温度θｏｕｔを変数とする一次関数で表わされている。
【０１０２】
マイコン１３１は、ステップＳ２０により、選択された関係データを用いて、外気温度θｏｕｔに基づいて熱媒体の出力目標温度θｓｅｔを設定する。そして、マイコン１３１は、ステップＳ１７に進み、温度センサ１２７によって検出される熱媒体の出力温度Ｔｈｍが、出力目標温度θｓｅｔと一致するように、燃焼バーナ１０２の発生熱量を制御する。
【０１０３】
これに対して、ステップＳ１２の故障判定において故障が検知された場合（Ｓ１３のＹＥＳ判定時）には、マイコン１３１は、ステップＳ１４に処理を進めて、リモコン３００を用いて該故障を報知する。
【０１０４】
マイコン１３１は、さらに、ステップＳ１５により、メモリ１３３に保持されている、選択された関係データを特定するための情報を参照し、ステップＳ１６により、熱媒体の出力目標温度θｓｅｔを、選択された関係データにおける出力目標温度θｓｅｔの設定範囲の高温領域における温度（たとえば、上限温度θｍａｘ）に変更する。マイコン１３１は、ステップＳ１７により、温度センサ１２７によって検出される熱媒体の出力温度Ｔｈｍが、変更後の出力目標温度θｓｅｔ（上限温度θｍａｘ）と一致するように、燃焼バーナ１０２の発生熱量を制御する。
【０１０５】
このように、本実施の形態に従う暖房用熱源装置によれば、入力端子に外気温度の検出値が正常に入力されない故障が検知された後は、選択された関係データにおける出力目標温度θｓｅｔの設定範囲の高温領域における温度に変更された出力目標温度θｓｅｔに従った応急運転が実行されるため、ユーザの使い勝手を向上させることができる。
【０１０６】
また、応急運転の実行中、熱媒体の出力温度は、故障の検知前における出力温度の実績値以上に保持されるため、暖房機能が低下することを抑制することができる。したがって、応急運転時におけるユーザの快適性を確保することができる。
【０１０７】
なお、本実施の形態に従う暖房用熱源装置では、コントローラ１３０内部のマイコン１３１と外気温センサ４００との電気的な接続によって、マイコン１３１に外気温検出信号（電圧信号）が入力される構成について説明したが、外気温センサ４００との無線通信によって、マイコン１３１に外気温検出信号が入力される構成としてもよい。この場合、暖房運転中に無線通信の異常が検知されると、上述した手順に従って熱媒体の出力目標温度θｓｅｔが変更され、応急運転が実行される。
【０１０８】
また、本実施の形態に従う暖房用熱源装置は、図１に示されたように給湯機能を有するものではなく、暖房機能専用のものであってもよい。
【０１０９】
図８は、本発明の実施の形態に従う暖房用熱源装置の他の構成例を説明するブロック図である。
【０１１０】
図８と図１と比較して、暖房専用給湯器１００ｂは、暖房給湯器１００ａのうちの、暖房機能に関する構成、すなわち、暖房装置１８０との間で熱媒体を循環するための構成（暖房循環経路）のみを備えている。
【０１１１】
具体的には、暖房専用給湯器１００ｂでは、図１に示された暖房給湯器１００ａからは、給湯用熱交換器１５０、分配弁１６０および配管１４５〜１４７、ならびに、入水管１１２、出湯管１１５、バイパス管１１６およびバイパス流量弁１２０の配置が省略される。すなわち、暖房専用給湯器１００ｂでは、循環ポンプ１７０が作動すると、入力端１４１ａおよび出力端１４１ｂとの間に、配管１４３、熱交換器１０４および配管１４４によって、暖房循環経路を形成することができる。
【０１１２】
コントローラ１３０に対しては、温度センサ１２６によって検出される熱媒体の入力温度Ｔｉ、温度センサ１２７によって検出される出力温度Ｔｈｍ、ならびに、リモコン３００に入力された暖房機能に関する運転指令が入力される、この運転指令は、暖房専用給湯器１００ｂの運転オン状態および運転オフ状態を切り替えるための運転オンオフ指令を含む。さらに、コントローラ１３０には、暖房装置１８０からの暖房運転信号Ｓｓｔが入力される。
【０１１３】
コントローラ１３０は、暖房専用給湯器１００ｂの運転オン状態において、暖房運転信号Ｓｓｔが「１」に設定されると、循環ポンプ１７０および燃焼バーナ１０２を作動させる。これにより、暖房循環経路に加熱された熱媒体が通流することによって、暖房運転が実行される。暖房運転では、燃焼バーナ１０２の発生熱量は、熱媒体の出力温度Ｔｈｍが、設定された暖房能力に対応する出力目標温度と一致するように制御される。
【０１１４】
一方で、暖房専用給湯器１００ｂにおいても、運転オン状態であっても、暖房運転信号Ｓｓｔが「０」に設定されるときには、循環ポンプ１７０および燃焼バーナ１０２は停止状態に維持される。また、運転オフ状態では、暖房運転信号Ｓｓｔが「１」に設定されても、循環ポンプ１７０および燃焼バーナ１０２は停止状態に維持される。すなわち、熱媒体は加熱されないので、暖房運転は開始されない。
【０１１５】
そして、暖房専用給湯器１００ｂに対しても、暖房運転における暖房能力要求は、入力端子２１１および２１２に対する、外気温検出信号を伝送する所定の配線２５０の接続によって入力される。さらに、電圧変換回路２００が、入力端子２１１，２１２間に入力される検出電圧Ｖｏｓを、コントローラ１３０（マイコン１３１）に入力される検出電圧Ｖｏｓ♯に変換する。マイコン１３１は、図５で説明したように、検出電圧Ｖｏｓ♯に基づいて外気温度θｏｕｔを検知して、熱媒体の出力目標温度θｓｅｔを設定する。
【０１１６】
マイコン１３１は、さらに、検出電圧Ｖｏｓ♯に基づいて、暖房専用給湯器１００ｂに故障（オープン故障またはショート故障）が発生しているか否かを判定する。そして、故障が検知されると、マイコン１３１は、リモコン３００を用いて該故障を報知するとともに、図６で説明したように、熱媒体の出力目標温度θｓｅｔを、選択された関係データにおける出力目標温度θｓｅｔの設定範囲の高温領域における温度に変更する。よって、故障が検知された後の応急運転では、熱媒体の出力温度Ｔｈｍが上限温度θｍａｘと一致するように、燃焼バーナ１０２の発生熱量が制御される。
【０１１７】
今回開示された実施の形態はすべての点で例示であって制限的なものではないと考えられるべきである。本発明の範囲は上記した説明ではなくて特許請求の範囲よって示され、特許請求の範囲と均等の意味および範囲内でのすべての変更が含まれることが意図される。
【符号の説明】
【０１１８】
１００ａ  暖房給湯器、１００ｂ  暖房専用給湯器、１０１  缶体、１０２  燃焼バーナ、１０４  熱交換器、１１２  入水管、１１５  出湯管、１１６  バイパス管、１１７  合流点、１２０  バイパス流量弁、１２１〜１２４，１２６，１２７  温度センサ、１２５  流量センサ、１３０  コントローラ、１３１  マイコン、１３２  Ａ／Ｄ変換器、１３３  メモリ、１３４  ポート、１４１ａ  入力端、１４１ｂ  出力端、１４３〜１４７  配管、１５０  給湯用熱交換器、１５１  一次側経路、１５２  二次側経路、１６０  分配弁、１７０  循環ポンプ、１８０  暖房装置、１８１  外部配管、１８６  放熱体、２００  電圧変換回路、２１１，２１２  入力端子、２５０  配線、３００  リモコン、３１０  表示部、３２０  操作部、３３０  発光体、Ｃａ，Ｃｂ  キャパシタ、Ｖａ  バリスタ、Ｒａ，Ｒｂ  抵抗素子、Ｎ１，Ｎ２  ノード、Ｎｏ  出力ノード。
【図１】
2019027638.tif 000005
【図２】
2019027638.tif 000006
【図３】
2019027638.tif 000007
【図４】
2019027638.tif 000008
【図５】
2019027638.tif 000009
【図６】
2019027638.tif 000010
【図７】
2019027638.tif 000011
【図８】
2019027638.tif 000012